(57)【要約】      （修正有）【課題】受信機の記憶容量に制約されることなく履歴データの保存と利用を可能とする。【解決手段】火災報知設備１０の受信機１２は、火災等のイベント発生に基づく印刷データをプリンタ１８に出力して印刷すると共に、プリンタ１８に出力する印刷データをゲートウェイ装置２０に分岐し、ゲートウェイ装置２０からインターネット２２を経由してサーバ２４に送信し、サーバ２４で印刷データを閲覧可能な所定の形式に加工して保存する。サーバ２４に保管された印刷データは、クライアント２８等の端末装置により検索して閲覧できる。【選択図】図１
2020154910.tif 000002
【特許請求の範囲】
【請求項１】
受信機に火災感知器を接続して火災を監視する火災報知設備に於いて、
前記受信機に、
所定のイベント発生に基づいて生成した所定の印刷情報を印刷する印刷手段と、
前記印刷手段に出力する印刷情報を、インターネットを経由して所定のサーバに送信して履歴情報として保存させる印刷情報送信制御手段と、
が設けられことを特徴とする火災報知設備。
【請求項２】
請求項１記載の火災報知設備に於いて、
前記印刷情報送信制御手段は、前記印刷手段に出力する前記印刷情報をゲートウェイ装置に分岐し、前記ゲートウェイ装置から前記サーバに送信して前記履歴情報として保存させることを特徴とする火災報知設備。
【請求項３】
火災感知器を接続して火災を監視する火災報知設備の受信機に、
所定のイベント発生に基づいて生成した所定の印刷情報を印刷する印刷手段と、
前記印刷手段に出力する印刷情報を、インターネットを経由して所定のサーバに送信して保存させる印刷情報送信制御手段と、
が設けられ、
前記サーバは、前記受信機から受信した前記印刷情報を検索可能な所定形式の履歴情報に加工して保存することを特徴とする防災情報管理システム。
【請求項４】
請求項３記載の防災情報管理システムに於いて、
前記印刷情報送信制御手段は、前記印刷手段に出力する前記印刷情報をゲートウェイ装置に分岐し、前記ゲートウェイ装置から前記サーバに送信して保存させることを特徴とする防災情報管理システム。
【発明の詳細な説明】
【技術分野】
【０００１】
本発明は、受信機のプリンタで印刷される履歴情報を保存して管理する火災報知設備及び防災情報管理システムに関する。
【背景技術】
【０００２】
従来、受信機から引き出された信号回線に火災感知器を接続して火災を監視する火災報知設備にあっては、火災、障害、点検等の火災報知設備の運用で発生したイベントを、履歴情報として受信機に設けたプリンタにより印刷すると共に、受信機に設けたＲＡＭなどのメモリに記憶している。
【先行技術文献】
【特許文献】
【０００３】
【特許文献１】特開２００２−０９２７５３号公報
【特許文献２】特開２０１７−２２４１９３号公報
【発明の概要】
【発明が解決しようとする課題】
【０００４】
しかしながら、このような受信機に設けたＲＡＭの容量には限界があり、例えば、１年程度の履歴データでＲＡＭが一杯となり、その場合には、ＲＡＭに記憶している過去の履歴データをプリンタで印刷して保管し、ＲＡＭの履歴データを消去するか、新たな履歴データを上書きして記憶するようにしており、印刷データはかさばる上に、コストの安価なサーマルプリンタにより感熱紙に印刷しており、履歴データを印刷した感熱紙は長期保管に向かないといった問題がある。
【０００５】
本発明は、受信機の記憶容量に制約されることなく履歴データの保存と利用を可能とする火災報知設備及び防災情報管理システムを提供することを目的とする。
【課題を解決するための手段】
【０００６】
（火災報知設備）
本発明は、受信機に火災感知器を接続して火災を監視する火災報知設備に於いて、
受信機に、
所定のイベント発生に基づいて生成した所定の印刷情報を印刷する印刷手段と、
印刷手段に出力する印刷情報を、インターネットを経由して所定のサーバに送信して履歴情報として保存させる印刷情報送信制御手段と、
が設けられことを特徴とする。
【０００７】
（印刷情報の分岐送信）
印刷情報送信制御手段は、印刷手段に出力する印刷情報をゲートウェイ装置に分岐し、ゲートウェイ装置からサーバに送信して履歴情報として保存させる。
【０００８】
（防災情報管理システム）
本発明の別の形態は、防災情報管理システムであって、
火災感知器を接続して火災を監視する火災報知設備の受信機に、
所定のイベント発生に基づいて生成した所定の印刷情報を印刷する印刷手段と、
印刷手段に出力する印刷情報を、インターネットを経由して所定のサーバに送信して保存させる印刷情報送信制御手段と、
が設けられ、
サーバは、受信機から受信した印刷情報を検索可能な所定形式の履歴情報に加工して保存することを特徴とする。
【０００９】
（印刷情報の分岐送信）
防災情報管理システムに於いても、印刷情報送信制御手段は、印刷手段に出力する印刷情報をゲートウェイ装置に分岐し、ゲートウェイ装置からサーバに送信して保存させる。
【発明の効果】
【００１０】
（基本的な効果）
本発明は、受信機に火災感知器を接続して火災を監視する火災報知設備に於いて、受信機に、所定のイベント発生に基づいて生成した所定の印刷情報を印刷する印刷手段と、印刷手段に出力する印刷情報を、インターネットを経由して所定のサーバに送信して履歴情報として保存させる印刷情報送信制御手段とが設けられたため、火災、障害、点検等のイベント発生に基づき生成された印刷情報はサーマルプリンタ等の印刷手段に出力されて履歴データとして印刷されると同時に、インターネット上のサーバに印刷情報が送信して保存され、受信機で履歴情報を記憶するＲＡＭ等のメモリに制限があっても、過去の履歴情報の印刷保存を必要とすることなく、また、ＲＡＭ等の記憶容量に制約されることなく、履歴情報の保存と利用を行うことができる。
【００１１】
（印刷情報の分岐送信による効果）
また、印刷情報送信制御手段は、印刷手段に出力する印刷情報をゲートウェイ装置に分岐し、ゲートウェイ装置からサーバに送信して保存させるという簡単な構成により、受信機で生成された履歴情報を効率良く保存して利用可能とすることができる。
【００１２】
また、本願は既存の受信機に対して簡単な変更のみを加えることで、履歴情報の保存と利用を可能とする。つまり、既存のプリンタを有する受信機についても、プリンタへの入力信号を分岐して分岐先にゲートウェイ装置を接続するのみで、受信機のソフトウェア上の変更等なしに履歴情報の保存と利用が可能となる。
【００１３】
（防災情報管理システムの効果）
本発明の別の形態にあっては、防災情報管理システムであって、火災感知器を接続して火災を監視する火災報知設備の受信機に、所定のイベント発生に基づいて生成した所定の印刷情報を印刷する印刷手段と、印刷手段に出力する印刷情報を、インターネットを経由して所定のサーバに送信して保存させる印刷情報送信制御手段とが設けられ、サーバは、受信機から受信した印刷情報を検索可能な所定形式の履歴情報に加工して保存するようにしたため、前述した火災報知設備の効果に加え、例えば、印刷情報に日付等の管理データを付加して保存することで、サーバに保存された印刷情報の履歴情報としての検索や利用をブラウザ等を備えた端末機器から簡単且つ容易に行って活用可能とする。
【図面の簡単な説明】
【００１４】
【図１】火災報知設備とサーバで構成される防災情報管理システムの概要を示した説明図
【図２】受信機とサーバの機能構成を示したブロック図
【図３】受信機の外観を正面から示した説明図
【図４】印刷データ、印刷記録及び履歴データを示した説明図
【発明を実施するための形態】
【００１５】
［火災報知設備及び防災情報管理システム］
（実施形態の基本的概念）
図１は火災報知設備とサーバで構成される防災情報管理システムの概要を示した説明図である。
【００１６】
本実施形態による火災報知設備及び防災情報管理システムの基本的概念は、火災報知設備１０は受信機１２から警戒区域に引き出された信号回線１４に火災感知器１６を接続して火災を監視しており、受信機１２には、火災、障害、点検、操作等の所定のイベント発生に基づく印刷データ（印刷情報）を印刷する印刷手段として機能するプリンタ１８と、プリンタ１８に出力する印刷情報を、インターネット２２を経由して所定のサーバ２４に送信して保存させる印刷情報送信制御手段の機能とが設けられ、サーバ２４は、受信機１２から受信した印刷データを閲覧可能な所定の形式に加工して履歴データ（履歴情報）として保存するというものである。
【００１７】
このため受信機１２で生成された火災、障害、点検、操作等のイベント発生に基づく印刷データはプリンタ１８に出力されて履歴データとして印刷されると同時に、インターネット２２上のサーバ２４に印刷データが送信して保存され、受信機１２で履歴データを記憶するＲＡＭ等のメモリに制限があっても、過去の履歴データのプリンタ１８で印刷して保存することを必要とすることなく、また、ＲＡＭ等の記憶容量に制約されることなく、長期間に亘って生成された履歴データを保存して利用することができる。以下詳細に説明する。
【００１８】
［火災報知設備及び防災情報管理システムの概要］
図１に示すように、火災報知設備１０は、建物の一階の管理人室などには例えばＲ型の受信機１２が設置され、受信機１２から警戒区域に対し系統毎に分けて信号回線１４が引き出され、固有のアドレスが設定された伝送機能を有する複数のアナログ式の火災感知器１６が接続され、火災を監視している。なお、信号回線１４には、固有のアドレスが設定された伝送機能を有する中継器から引き出された感知器回線にオンオフ式の火災感知器及び発信機が接続され、また、中継器を介して防排煙機器等が接続されるが、図示を省略している。
【００１９】
また、受信機１２にはプリンタ１８が設けられており、受信機１２で火災、障害、点検、操作等のイベントが発生すると、これに基づき所定の印刷データを生成し、プリンタ１８に出力して履歴データとして印刷するようにしている。
【００２０】
また、受信機１２にはゲートウェイ装置２０が設けられ、インターネット２２を経由してサーバ２４に通信接続できるようにしている。
【００２１】
受信機１２は、火災、障害、点検、操作等の所定のイベント発生に基づく印刷データを生成し、プリンタ１８に出力して印刷するときに、印刷データをゲートウェイ装置２０に分岐し、ゲートウェイ装置２０からインターネット２２を経由してサーバ２４に送信する。
【００２２】
受信機１２から印刷データを受信したサーバ２４は、受信した印刷データを閲覧可能な所定の形式に加工して履歴データとして保存する。サーバ２４に保存された火災報知設備１０の履歴データは、ＬＡＮ回線２６を介して接続されたクライアント２８、受信機１２及び防災表示盤１５により必要な履歴データを検索して閲覧することができる。また、携帯電話網３０の携帯電話子局３２を介してスマートホンやタブレット等の携帯端末３４からも必要な履歴データを検索して閲覧することができる。
【００２３】
［受信機及びサーバの機能構成］
図２は受信機とサーバの機能構成を示したブロック図、図３は受信機の外観を正面から示した説明図、図４は印刷データ、印刷記録及び履歴データを示した説明図である。
【００２４】
（受信機の機能）
図１に示すように、受信機１２は、ＣＰＵ、メモリ、各種の入出力ポート等を備えたコンピュータ回路等で構成されおり、メインＣＰＵ３６と複数のサブＣＰＵ基板３８が設けられ、サブＣＰＵ基板３８にはサブＣＰＵ４０と伝送部４２が設けられている。
【００２５】
メインＣＰＵ３６とサブＣＰＵ４０は、シリアル転送バス４４で接続されており、相互にデータを送受信する。
【００２６】
メインＣＰＵ３６にはプリンタ１８が接続され、また、プリンタ１８に対する印刷データを分岐してサーバ２４に送信するゲートウェイ装置２０が接続されている。
【００２７】
また、メインＣＰＵ３６には、液晶表示パネル等を用いたタッチパネル付きのディスプレイ４６、ＬＥＤ等の表示灯を用いた表示部４８、火災断定スイッチ、主音響停止スイッチ、地区音響一時停止スイッチ等の各種スイッチが設けられた操作部５０、スピーカが設けられた音響警報部５２、及び、移報部５４が接続されている。
【００２８】
また、メインＣＰＵ３６にはシリアル伝送部４５を介して防災表示盤１５が接続され、防災表示盤１５は受信機１２で発生したイベントのディスプレイ表示、警報、操作に加え、サーバ２４に保存している受信機１２の履歴情報の閲覧を可能としている。
【００２９】
また、メインＣＰＵ３６にはプログラムの実行により制御手段として機能する受信制御部５６と印刷情報送信制御部５８が設けられ、また、ＲＡＭなどを用いた履歴記憶部６０が設けられる。
【００３０】
（受信機の外観）
図３に示すように、受信機１２の盤面には、タッチパネル付きのディスプレイ４６が配置される。ディスプレイ４６はカラー画像を画面表示し、また、タッチパネルが画面に配置されることで、画面タッチ操作による選択や入力を可能としている。
【００３１】
ディスプレイ４６の下側で盤面の左右中央となる利用者にとって見やすく且つ操作しやすい位置に、ガイドスイッチ７２が配置されている。ガイドスイッチ７２は、火災イベント発生してディスプレイ４６にガイダンス対象となる情報が表示されときに操作すると、ガイダンス内容が音声により出力される。
【００３２】
また、ディスプレイ４６の下側の盤面には、火災断定スイッチ７８、主音響停止スイッチ７４及び地区音響一時停止スイッチ７６が配置されている。ガイドスイッチ７２の下側の盤面には子扉８２が下側を軸として前開き自在に設けられており、小扉８２の内側には、復旧スイッチを含む各種の操作スイッチが設けられている。
【００３３】
また、火災断定スイッチ７８の外側には電話マイク８０が配置され、ディスプレイ４６の横に設けられた音響孔８４の内部のスピーカとの組み合わせにより、ハンドフリーによる非常電話機能を実現している。
【００３４】
また、ディスプレイ４６の上側の盤面には火災代表灯８６とガス漏れ代表灯８８が設けられている。更に、受信機１２の盤面の下側にはプリンタ１８が配置され、受信機１２で発生したイベントに基づく印刷データを印字出力するようにしている。
【００３５】
（受信機の火災監視制御）
図２に示す受信機１２に設けたサブＣＰＵ基板３８のサブＣＰＵ４０は、伝送部４２に指示して火災感知器１６との間で所定の通信プロトコルに従って信号を送受信することで、火災監視制御を行っている。
【００３６】
サブＣＰＵ４０による火災監視制御は、通常の監視中にあっては、一定周期毎に、伝送部４２に指示して、一括ＡＤ変換コマンドを含むブロードキャストの一括ＡＤ変換信号を送信しており、この一括ＡＤ変換信号を受信した火災感知器１６は、煙濃度又は温度をセンサデータとして検出して保持する。続いて、サブＣＰＵ４０は、端末アドレスを順次指定したポーリングコマンドを含む呼出信号を送信している。
【００３７】
火災感知器１６は自己アドレスに一致するアドレスを持つ呼出信号を受信すると、そのとき保持しているセンサデータを含む応答信号を伝送部４２に送信する。また、火災感知器１６は煙濃度又は温度が所定の火災注意レベルを超えると受信機１２の伝送部４２に対し火災割込み信号を送信する。
【００３８】
サブＣＰＵ４０は伝送部４２を介して火災割込み信号を受信すると、グループ検索コマンド信号を送信して火災を検出している火災感知器１６を含むグループを特定し、続いて、グループ内検索コマンド信号を送信して火災を検出している火災感知器１６のアドレスを特定してセンサのアナログデータを集中的に収集し、シリアル転送バス４４を介してメインＣＰＵ３６に送信する。
【００３９】
メインＣＰＵ３６はサブＣＰＵ４０から受信したアナログデータを所定の火災判定レベルと比較しており、アナログデータが火災判定レベルに達した場合に火災と判定し、表示部４８の火災代表灯８６を点灯し、音響警報部５２のスピーカから火災発生を示す所定の主音響警報を出力させ、ディスプレイ４６に火災が検出された感知器アドレスに基づき火災発生場所を含む火災警報情報を表示させ、更に、移報部５４により火災移報信号を外部に出力して所定の移報制御等を行わせる。
【００４０】
（受信機の印刷情報送信制御）
図２に示す受信機１２のメインＣＰＵ３６に設けられた印刷情報送信制御手段として機能する印刷情報送信制御部５８は、受信制御部５６で火災、障害、点検、操作等のイベント発生に基づき印刷データが生成されたときに、印刷データをプリンタ１８に出力して印字出力させると共に、印刷データを分岐してゲートウェイ装置２０に出力する制御をおこない、これによりゲートウェイ装置２０は所定のインターネットプロトコルに従って印刷データをインターネット２２を経由してサーバ２４に送信する。
【００４１】
印刷データはシリアル信号としてプリンタ１８とゲートウェイ装置２０に送信し、サーバ２４で受信した印刷データの文字は画像でなく文字として認識可能な形式となる。
【００４２】
受信制御部５６はイベント発生に基づき図４（Ａ）に示す形式の印刷データ９０を生成する。本実施形態の印刷データ９０は、日時、場所、種別及び内容で構成されている。図４（Ｂ）は受信制御部５６で火災発生時に生成された印刷データ９０の印字結果９２であり、例えば、下から上に向かう時間の流れであり、午前零時のタイミングで年月日「２０１９／０２／０１」が印字され、その後、火災発生に伴う印字データが印字されている。
【００４３】
例えば最初の印紙データを見ると、時分秒「０２３４２５」に続いて場所「１階南地区」が印字され、次に種別としてアナログ式の煙感知器を示す「アナログ煙」が印字され、最後に内容として「発報」が印字されている。また、プリンタ１８に印字出力された印刷データは、同時に、ＲＡＭなどを用いた履歴記憶部６０に記憶されるが、履歴記憶部６０の記憶容量には制限があり、記憶容量がなくなると古い履歴データに対し上書きして記憶され、例えば１年分といった限られた期間の履歴データしか記憶されていない。
【００４４】
なお、印字データ９０の型式及び内容は、履歴として必要な適宜の内容及び形式とすることができる。また、印刷情報送信制御部５８は印刷データをリアルタイムでゲートウェイ装置２０に分岐してサーバ２４に送信する以外に、印刷データを一旦送信用のバッファメモリに保存し、所定期間単位、例えば１日単位にバッファメモリから読み出し、ゲートウェイ装置２０に出力してサーバ２４に送信するようにしても良い。
【００４５】
（サーバ）
図２に示すように、サーバ２４は、ＣＰＵ、メモリ、各種の入出力ポート等を備えたコンピュータ回路等で構成されおり、通信制御部６２、サーバ制御部６４、キーボートやマウス等の操作部６６、ディスプレイを用いた表示部６８、十分な記憶容量を備えた記憶部７０を備える。
【００４６】
サーバ制御部６４は、通信制御部６２を介して受信機１２が送信した印刷データを受信した場合、例えば、図４（Ｃ）に示す形式の履歴データ９４を生成し、記憶部７０に記憶する。図４（Ｃ）の履歴データ９４は、受信機１２から受信した印刷データ９０の先頭に所定の検索データ９６を組み合わせており、検索データ９６としては、例えば年月日データとし、利用者は年月日を指定すること記憶部７０に記憶している履歴データ９４の中から、指定した年月日の履歴データを抽出して閲覧することができる。
【００４７】
また、サーバ制御部６４は複数の火災報知設備１０の履歴データを記憶部７０に記憶している場合には、検索データ９６に火災報知設備に割り当てられた設備ＩＤを年月日に加えて記憶することで、火災報知設備を指定した履歴データ９４の検索による閲覧を可能とする。
【００４８】
サーバ２４に保存された履歴データ９４の閲覧は、クライアント２８や携帯端末３４に加え、受信機１２や防災表示装置１５からも行うことができる。
【００４９】
なお、サーバ制御部６４は記憶部７０に履歴データ９４を記憶する場合に、印刷データ９０をクライアント２８や携帯端末３４や防災表示装置１５が文字を文字として認識可能な形態を維持するとともにディスプレイに表示可能な所定の画像データ、例えばＰＤＦ形式に変換して記憶するようにしても良い。このように印刷データ９０を画像データに変換して格納することで、クライアント２８、受信機１２、防災表示盤１５、携帯端末３４等から履歴データ９４を閲覧する際に、印刷データ９０から画像データへの変換が不要となり、履歴データ９４の利用が効率化される。また、文字情報を検索対象として履歴データに含まれる端末の特定情報や時刻情報を活用して履歴データ９４の利用をさらに効率化することが可能となる。
【００５０】
［本発明の変形例］
（防災表示盤）
上記の実施形態に加え、防災表示盤１５は、利用者に履歴データを選択されたとき、履歴データ９４に含まれる端末特定情報に基づき、選択された履歴に関する端末を特定し、防災表示盤１５で表示する地図上で当該端末を強調表示するようにしても良い。
【００５１】
（印刷データ）
上記の実施形態は、火災感知器の発報等のイベント発生に基づいて印刷データを生成しているが、生成される印刷データはこれに限らない。受信機の設定情報等を印刷データとしてサーバ２４に送信するようにしても良い。このとき、プリンタ１８からの印刷は行わないようにしても良い。また、プリンタ１８から印刷を行ったかどうかを区別するため、印刷データにプリンタによる印刷対象かどうかを区別する情報を含めるようにしても良い。
【００５２】
（受信機による印刷データの閲覧・印刷）
上記の実施形態は、履歴データ９４を受信機１２で閲覧可能としているが、印刷できるようにしても良い。
【００５３】
（クライアントや防災表示盤による印刷）
上記の実施形態は、履歴データ９４をクライアント２８や防災表示盤１５で閲覧可能としているが、印刷できるようにしても良い。クライアント２８や防災表示盤１５で印刷可能とすることで、高機能なプリンタでＡ４用紙等の印刷が可能となる。そのため、履歴データ９４を印刷して点検等の報告書に添付する等が可能となる。
【００５４】
（Ｐ型受信機）
上記の実施形態は、Ｒ型の受信機からの信号回線を介してＲ型の火災感知器を接続した火災報知設備を例にとっているが、回線単位に火災を監視するＰ型の受信機から引き出した感知器回線にオンオフ式の火災感知器を接続したＰ型火災報知設備についても同様に適用できる。
【００５５】
（プリンタ無しの受信機）
また、上記の実施形態は、受信機にプリンタを設けて印刷データを印字出力しているが、印刷データを出力する機能があれば良く、プリンタを設けていない受信機であっても良い。
【００５６】
（その他）
また、本発明はその目的と利点を損なうことのない適宜の変形を含み、更に上記の実施形態に示した数値による限定は受けない。
【符号の説明】
【００５７】
１０：火災報知設備
１２：受信機
１４：信号回線
１５：防災表示盤
１６：火災感知器
１８：プリンタ
２０：ゲートウェイ装置
２２：インターネット
２４：サーバ
２６：ＬＡＮ回線
２８：クライアント
３０：携帯電話網
３２：携帯電話子局
３４：携帯端末
３６：メインＣＰＵ
３８：サブＣＰＵ基板
４０：サブＣＰＵ
４２：伝送部
４５：シリアル伝送部
５６：受信制御部
５８：印刷情報送信制御部
６０：履歴記憶部
６２：通信制御部
６４：サーバ制御部
６６：操作部
７０：記憶部
９０：印刷データ
９２：印刷結果
９４：履歴データ
９６：検索データ
【図１】
2020154910.tif 000003
【図２】
2020154910.tif 000004
【図３】
2020154910.tif 000005
【図４】
2020154910.tif 000006